(57)【特許請求の範囲】
【請求項１】
筐体内に設けられ、内部に載置された被調理物を加熱手段で加熱するグリル庫と、
前記グリル庫と連通し且つ上方に延びるようにして設けられ、前記加熱手段による加熱調理に伴って生じた燃焼ガスを上昇させて前記グリル庫外に排出する排気筒と、
前記排気筒の内側に配置され、前記グリル庫内で火炎が前記排気筒の内側にまで延びた場合に、前記火炎を消炎する消炎部材と
を備えたコンロにおいて、
前記排気筒の上側の開口部に着脱可能に装着され、前記消炎部材を前記排気筒の内側に支持する支持部材を備え、
前記支持部材は、
前記排気筒の前記開口部において互いに対向する左右の両側部に配置される一対の側板部と、
前記一対の側板部の間に渡設される渡設部と
を備え、
前記一対の側板部の夫々は、
前記開口部における前記両側部の夫々に当接して支持される当接部と、
前記当接部における前記排気筒の内側に位置する一端部から下方に向けて延設され、前記排気筒の側壁の内面に沿って配置される下方延設部と、
前記下方延設部の下端部から前記排気筒の中央に向けて張り出した張出部と
を備え、
前記排気筒の内側に支持された前記消炎部材は、前記一対の側板部の夫々に設けられた前記張出部によって下側から支持されること
を特徴とするコンロ。
【請求項２】
前記排気筒の前記両側部の夫々には、外方向に延び、且つ第一固定穴を有するフランジ部が設けられ、
前記一対の側板部の夫々の前記当接部には、前記第一固定穴に対応する第二固定穴が設けられ、
前記消炎部材の端部と前記当接部との間には、前記消炎部材の上方向への移動を規制する規制部材が設けられ、
前記規制部材は、上方から前記第一固定穴及び前記第二固定穴に締結されるネジによって、前記当接部に固定されること
を特徴とする請求項１に記載のコンロ。
【請求項３】
前記筐体の上部に取り付けられ、前記排気筒の前記開口部の上方で開口する排気用開口部を備える天板と、
前記排気用開口部の周囲を上側から覆うように載置される排気カバーと
を備え、
前記規制部材は、
前記天板の前記排気カバーに覆われる部分の下面に当接して固定される天板固定部を備えたこと
を特徴とする請求項２に記載のコンロ。
【請求項４】
前記渡設部は、
前記一対の側板部の夫々の後端部の間に渡設され、且つ前記支持部材を前記排気筒の前記開口部に装着された状態において、前記排気筒の後壁の後ろ側に沿って配置されるように形成され、
前記渡設部の上端部には、後方に対して斜め上方に傾斜する傾斜部が設けられたこと
を特徴とする請求項１から３の何れかに記載のコンロ。
【請求項５】
前記渡設部には、
下方向に延び、前記支持部材の前記排気筒の前記開口部への装着時に、前記排気筒の前記後壁と、該後壁と対向する前記筐体の後壁との間の空間に差し込まれる差し込み部が設けられ、
前記差し込み部には、後ろ側に突出する突出部が設けられていること
を特徴とする請求項４に記載のコンロ。
【発明の詳細な説明】
【技術分野】
【０００１】
本発明は、グリル庫を備えるコンロに関する。
【背景技術】
【０００２】
従来、魚等を焼成するグリル付きのコンロが一般的に使用されている。この種のコンロでは、グリル内部に焼き網を配置し、焼き網上に魚等の被調理物を載置した状態でグリルバーナを燃焼させて加熱調理を行う。焼き網の下方には、受皿が設けられ、加熱調理に際して魚等から滴下した油を受け止めるようにされている。
【０００３】
ところで、大分部のコンロは、受皿の下方空間に冷却用の空気を流通させて受皿を冷却する等、受皿に溜まった油からの発火を未然に防止する構成を採用するものの、これに合わせて、現実に発火した場合に備えて、何らかの消炎機構を備えることが望まれる。
【０００４】
消炎機構の一例として本出願人は、フレームトラップを排気筒の筒下方下流端部内部に取り付けたコンロを提案している（例えば、特許文献１参照）。このフレームトラップは、略平行に所定の間隔を隔てて配置される二又は三以上の多孔板を備えて構成され、排気筒内に取り付けられた状態で、排気筒の筒方向に沿って各多孔板が順次配列される。各々の多孔板は、排気筒内に取り付けられた状態で排気筒の筒方向に交差するように、且つ排気筒の内側面の間に隙間が形成しないように配置される。
【０００５】
このコンロでは、仮に受皿に溜まった油や被調理物から火炎が生じたとしても、その火炎は、排気筒の筒上方上流側に位置する多孔板に接触して冷却される。さらに、多孔板間には、燃焼排ガスや被調理物から生じた炭酸ガスが滞留して酸素濃度が希薄になるため、火炎への酸素供給が滞る。こうした冷却効果及び酸欠効果により、火炎がフレームトラップを超えて、コンロ本体外部に溢れ出るのを防止する。
【０００６】
このようなフレームトラップを排気筒内に取り付ける為の具体的な機構として、フレームトラップの左右両端部に各多孔板を上下に挟み込んで支持する支持部材を設け、この支持部材の両端部から側方に張り出したフランジ部を、排気筒上端部から側方に張り出したフランジ部にネジ止め固定する機構が提案されている（例えば、特許文献２参照）。
【先行技術文献】
【特許文献】
【０００７】
【特許文献１】特開平１１−２４８１７０号公報
【特許文献２】特開２０００−２０５５６４号公報
【発明の概要】
【発明が解決しようとする課題】
【０００８】
しかしながら、特許文献２に記載のような取付機構を有するコンロでは、支持部材のフランジ部と排気筒上端のフランジ部とが密着した状態でネジ止め固定されるため、フレームトラップを排気筒から取り出し難いという問題点があった。また、フレームトラップの左右両端部を上下に挟み込んで支持するだけであるので、例えばフレームトラップを支持部材ごと排気筒から抜き取った弾みで、フレームトラップが支持部材から外れる可能性もあった。
【０００９】
本発明の目的は、グリル庫の排気筒の内側に取り付けられた消炎部材を、安定した状態で簡単に取り出すことができるコンロを提供することである。
【課題を解決するための手段】
【００１０】
請求項１に係る発明のコンロは、筐体内に設けられ、内部に載置された被調理物を加熱手段で加熱するグリル庫と、前記グリル庫と連通し且つ上方に延びるようにして設けられ、前記加熱手段による加熱調理に伴って生じた燃焼ガスを上昇させて前記グリル庫外に排出する排気筒と、前記排気筒の内側に配置され、前記グリル庫内で火炎が前記排気筒の内側にまで延びた場合に、前記火炎を消炎する消炎部材とを備えたコンロにおいて、前記排気筒の上側の開口部に着脱可能に装着され、前記消炎部材を前記排気筒の内側に支持する支持部材を備え、前記支持部材は、前記排気筒の前記開口部において互いに対向する左右の両側部に配置される一対の側板部と、前記一対の側板部の間に渡設される渡設部とを備え、前記一対の側板部の夫々は、前記開口部における前記両側部の夫々に当接して支持される当接部と、前記当接部における前記排気筒の内側に位置する一端部から下方に向けて延設され、前記排気筒の側壁の内面に沿って配置される下方延設部と、前記下方延設部の下端部から前記排気筒の中央に向けて張り出した張出部とを備え、前記排気筒の内側に支持された前記消炎部材は、前記一対の側板部の夫々に設けられた前記張出部によって下側から支持されることを特徴とする。
【００１１】
請求項２に係る発明のコンロは、請求項１に記載の発明の構成に加え、前記排気筒の前記両側部の夫々には、外方向に延び、且つ第一固定穴を有するフランジ部が設けられ、
前記一対の側板部の夫々の前記当接部には、前記第一固定穴に対応する第二固定穴が設けられ、前記消炎部材の端部と前記当接部との間には、前記消炎部材の上方向への移動を規制する規制部材が設けられ、前記規制部材は、上方から前記第一固定穴及び前記第二固定穴に締結されるネジによって、前記当接部に固定されることを特徴とする。
【００１２】
請求項３に係る発明のコンロは、請求項２に記載の発明の構成に加え、前記筐体の上部に取り付けられ、前記排気筒の前記開口部の上方で開口する排気用開口部を備える天板と、前記排気用開口部の周囲を上側から覆うように載置される排気カバーとを備え、前記規制部材は、前記天板の前記排気カバーに覆われる部分の下面に当接して固定される天板固定部を備えたことを特徴とする。
【００１３】
請求項４に係る発明のコンロは、請求項１から３の何れかに記載の発明の構成に加え、前記渡設部は、前記一対の側板部の夫々の後端部の間に渡設され、且つ前記支持部材を前記排気筒の前記開口部に装着された状態において、前記排気筒の後壁の後ろ側に沿って配置されるように形成され、前記渡設部の上端部には、後方に対して斜め上方に傾斜する傾斜部が設けられたことを特徴とする。
【００１４】
請求項５に係る発明のコンロは、請求項４に記載の発明の構成に加え、前記渡設部には、下方向に延び、前記支持部材の前記排気筒の前記開口部への装着時に、前記排気筒の前記後壁と、該後壁と対向する前記筐体の後壁との間の空間に差し込まれる差し込み部が設けられ、前記差し込み部には、後ろ側に突出する突出部が設けられていることを特徴とする。
【発明の効果】
【００１５】
請求項１に係る発明のコンロでは、消炎部材は、排気筒の内壁面と支持部材の下方延設部に囲まれる空間内において、張出部により下側から支持される状態で、排気筒内に支持される。これにより、支持部材を上方に持ち上げるだけで、消炎部材ごと排気筒から安定して抜き出すことができる。また、支持部材の側板部の当接部が排気筒の開口部における両側部の夫々に当接するので、容易に当接部の下側に指等を引っ掛けて、消炎部材ごと持ち上げることができる。従って、メンテナンス等の目的で消炎部材を排気筒の内側から取り外す必要が生じた場合に、作業者はその作業を迅速に行うことができる。
【００１６】
請求項２に係る発明のコンロは、請求項１に記載の発明の効果に加え、規制部材によって消炎部材の上方向への移動が規制されるので、排気筒の内側において、意図せずに、消炎部材が移動してしまうのを防止できる。
【００１７】
請求項３に係る発明のコンロは、請求項２に記載の発明の効果に加え、消炎部材の移動を規制する規制部材、及び規制部材が取り付けられる支持部材という、他の用途を有する部材を介して天板を筐体側の排気筒のフランジ部に固定できる。従って、部品点数の削減を図ることができる。また、排気カバーの下側に隠れた位置で天板を螺子止めするので、螺子が使用者の目に曝されて美感を損なうのを防止できる。
【００１８】
請求項４に係る発明のコンロは、請求項１から３の何れかに記載の発明の効果に加え、渡設部の上端部に傾斜部を設けることで、上方から侵入した煮汁が排気筒の後側に侵入するのを防止できる。さらに、グリル付きのコンロでは、スペースの関係上、グリル庫の後方、即ち、筐体の後部にガス配管を配置する必要がある。上記のように、本発明のコンロは、排気筒の後側に煮汁が侵入することを防止できるので、配管の煮汁による腐食が生じる虞を軽減できる。
【００１９】
請求項５に係る発明のコンロは、請求項４に記載の発明の効果に加え、支持部材の取り付け時において、差し込み部を排気筒内に差し込んだ場合、突出部が排気筒の後壁内面に接触するので、支持部材は傾斜した状態となる。これにより、誤装着状態であることを容易に認識させることができるので、支持部材の誤装着を防止できる。
【図面の簡単な説明】
【００２０】
【図１】コンロ１の斜視図である。
【図２】コンロ１から天板を取り外した状態の斜視図である。
【図３】天板３の斜視図である。
【図４】コンロ１の後ろ側の組み立て構造を示す分解斜視図である。
【図５】支持部材５０の斜視図である。
【図６】図５に示す支持部材５０に、フレームトラップ７０を支持させた状態を示す斜視図である。
【図７】図６に示す支持部材５０に規制部材８１，８２を固定した状態を示す斜視図である。
【図８】図２に示すコンロ１の後ろ側の部分拡大図である。
【図９】図５に示すＩ−Ｉ線矢視方向断面図である。
【発明を実施するための形態】
【００２１】
以下、本発明の実施形態について、図面を参照して説明する。以下に記載されている装置の構造などは、特に特定的な記載がない限り、それのみに限定する趣旨ではなく、単なる説明例である。図面は、本発明が採用しうる技術的特徴を説明するために用いられるものである。図１に示す本実施形態のガスコンロ１は、グリル付きテーブルコンロであるが、キッチンのカウンタトップに設置されるビルトインコンロであってもよい。なお、以下説明では、図中に矢印で示す上下、左右、前後を使用する。
【００２２】
図１を参照して、ガスコンロ１の外観構造を説明する。ガスコンロ１は、略直方体状の筐体２を備える。その筐体２の上部に天板３が固定されている。天板３の上面３１の外周縁部を除く領域には、一段下方に低くなった平面視略長方形状の凹部３２が設けられている。凹部３２の右側には右コンロバーナ５、左側には左コンロバーナ６が設けられている。右コンロバーナ５には五徳１０１が設置され、左コンロバーナ６には五徳１０２が設置されている。天板３の上面３１における右コンロバーナ５と左コンロバーナ６に挟まれる中央部の後方には、後述する排気口３６（図２参照）が設けられている。排気口３６は、筐体２内に設置されるグリル庫７（図２参照）内部と後述する排気筒４０を介して連通する。それ故、排気口３６は、グリル庫７内の燃焼ガスを排出する。排気口３６には、排気カバー８が上方から覆設されている。排気カバー８には、多数の穴８Ａが設けられている。
【００２３】
筐体２の前壁２１の前面の左右方向略中央部には、グリル庫７の前面に設けられたグリル開口（図示略）が設けられている。グリル開口の前側には、グリル扉１０が前後方向に移動可能に設けられている。グリル扉１０はグリル開口を開閉する。ユーザは、グリル扉１０の前面下部に設けられた取手１０Ａを手前側に引き出すと、グリル扉１０の背面下部に連結した受け皿（図示略）及び焼き網を、グリル庫７内から同時に取り出すことができる。
【００２４】
グリル扉１０の右側には、点火スイッチ１１，１２等が夫々設けられている。点火スイッチ１１は、グリル扉１０の右側に隣接して設けられ、右コンロバーナ５の点火／消火の操作を行う。点火スイッチ１２は、点火スイッチ１１の右隣に設けられ、グリル庫７内に設けられたグリルバーナ（図示略）の点火／消火の操作を行う。他方、グリル扉１０の左側には、点火スイッチ１３、電池ケース１５等が夫々設けられている。点火スイッチ１３は、グリル扉１０の左側に隣接して設けられ、左コンロバーナ６の点火／消火の操作を行う。電池ケース１５は、点火スイッチ１３の左隣に設けられ、ガスコンロ１の電源として、例えば２つの乾電池を格納する。
【００２５】
図２，図４を参照し、筐体２の構造を説明する。図２に示すように、筐体２は、上部が開口する略直方体状に形成され、前壁２１、右側壁２２、左側壁２３、後壁２４、底壁（図示略）を備える。筐体２の内側において、右側に右コンロバーナ５、左側に左コンロバーナ６が夫々支持され、その中央には、略直方体状のグリル庫７が設置されている。グリル庫７の後部には、排気筒４０が上方に延びるようにして設けられている。図４に示すように、排気筒４０は略四角筒状に形成され、前壁４１、右側壁４２、左側壁４３、後壁４４を備える。排気筒４０はグリル庫７内部と連通する。排気筒４０の上方に向けて延びる上端部には、開口部４８が設けられている。開口部４８は平面視左右方向に長い略長方形状に形成されている。排気筒４０は、グリル庫７内のグリルバーナによる加熱調理に伴って生じた燃焼ガスを上昇させて、開口部４８からグリル庫７外に排出させる。開口部４８の後壁４４と筐体２の後壁２４との間には、所定の空間１８が設けられている。
【００２６】
図２，図４に示すように、排気筒４０の内側には、後述する支持部材５０によって、フレームトラップ７０が上方から着脱可能に挿入して支持されている。フレームトラップ７０は、略直方体の板状に構成された消炎部材であり、例えばステンレス等からなるラス網等の２枚の多孔板７１，７２の両端を曲げ加工し、それを向かい合わせて直方体の筒状に形成したものである。支持部材５０は、フレームトラップ７０の上下面を除く四方を、排気筒４０の内面と接するように支持する。これにより、フレームトラップ７０の上下面は、燃焼ガスを通過させるための上多孔板、下多孔板として夫々機能する。上多孔板及び下多孔板は、排気筒４０内に取り付けられた状態で、排気筒４０の筒方向に交差するように、且つ排気筒４０の内側面の間に隙間が形成しないように配置される。
【００２７】
万が一、受皿に溜まった油や被調理物から火炎が生じたとしても、その火炎は、排気筒４０の筒上方上流側に位置する下多孔板に接触して冷却される。さらに、各多孔板間には、燃焼排ガスや被調理物から生じた炭酸ガスが滞留して酸素濃度が希薄になるため、火炎への酸素供給が滞る。こうした冷却効果及び酸欠効果により、フレームトラップ７０が排気筒４０内の内側にまで延びる火炎を消炎するので、天板３の排気口３６（図４参照）から火炎が溢れ出すのを防止できる。
【００２８】
図４に示すように、排気筒４０の右側壁４２の上端部には、右側方に略水平に延びる平面視長方形状のフランジ部４５が設けられている。左側壁４３の上端部には、左側方に延びる平面視略長方形状のフランジ部４６が設けられている。フランジ部４５，４６には、固定穴４５１，４６１が夫々設けられている。
【００２９】
図３，図４を参照し、天板３の構造を説明する。天板３は、例えばホーロー板をプレス成型したものであり、平面視略長方形状に形成されている。天板３の上面３１に設けられた凹部３２の右側にはバーナ開口３４が設けられ、凹部３２の左側にはバーナ開口３５が設けられている。バーナ開口３４，３５は平面視略円形状である。バーナ開口３４の内側には、筐体２内に設置された右コンロバーナ５が下方から突出して配置されている。バーナ開口３５の内側には、筐体２内に設置された左コンロバーナ６が下方から突出して設置される。バーナ開口３４の周囲には、五徳装着部３４１が設けられている。バーナ開口３５の周囲には、五徳装着部３５１が設けられている。五徳装着部３４１，３５１は、平面視略円形状に形成され、凹部３２よりも上方に膨出する。図１に示すように、五徳装着部３４１には、五徳１０１の五徳リング１０１Ａが上方から装着される。五徳装着部３５１には、五徳１０２の五徳リング１０２Ａが上方から装着される。
【００３０】
天板３の後端側に設けられた排気口３６は、平面視左右方向に長い略長方形状に形成されている。天板３が筐体２の上部に固定された状態で、排気口３６は、筐体２内に設置された排気筒４０の開口部４８に位置決めされる。排気口３６の右側には係止穴３７１が設けられ、排気口３６の左側には係止穴３７２が設けられている。係止穴３７１，３７２は、平面視前後方向に長い略長方形状に形成されている。係止穴３７１，３７２には、図４に示す排気カバー８の下部の左右両端部に設けられた一対の突起８３（図４では右側の突起８３のみ図示）が上方から係止するようになっている。係止穴３７１の前側には固定穴３８１が設けられ、係止穴３７２の前側には固定穴３８２が設けられている。固定穴３８１，３８２は上下方向に貫通する丸穴であり、排気カバー８の下側に隠れる位置に設けられている。固定穴３８１，３８２には、天板３を筐体２に固定する為の一対のネジ９１が挿入される（図４参照）。
【００３１】
図４，図５を参照し、支持部材５０の構造を具体的に説明する。支持部材５０は、フレームトラップ７０を排気筒４０の内側に支持する部材である（図２，図８参照）。支持部材５０は金属製であり、右側板部５１、左側板部５２、渡設部５３を備える。右側板部５１は平面視略長方形状に形成され、排気筒４０の右側壁４２の上端部に設けられたフランジ部４５の上面に載置して固定される。左側板部５２も平面視略長方形状に形成され、排気筒４０の左側壁４３の上端部に設けられたフランジ部４６の上面に載置して固定される。渡設部５３は、右側板部５１と左側板部５２の間を左右方向に延びるように渡設され、断面略逆Ｌ字状に形成されている。渡設部５３は、右側板部５１と左側板部５２を一体化させている。
【００３２】
右側板部５１は、水平部５１１、下方延設部５１２、係止片５１３を備える。水平部５１１は、略水平に延びる平面視略長方形の板状に形成されている。下方延設部５１２は、水平部５１１の左側板部５２側に位置する左端部から鉛直下方に延設されている。係止片５１３は、下方延設部５１２の下端部から左側板部５２側である左方に略直角に突出して形成されている。水平部５１１の左前角部には、円形状の固定穴５５が設けられている。固定穴５５の右斜め前方には、矩形状の係止穴５７が設けられている。水平部５１１の前端部には垂直上方に延びる壁部５１５が立設され、水平部５１１の右端部にも垂直上方に延びる壁部５１６が立設されている。壁部５１５の左端部は、水平部５１１の左端部から左方にやや突出している。
【００３３】
左側板部５２は、右側板部５１と左右対称形状であり、水平部５２１、下方延設部５２２、係止片５２３を備える。水平部５２１は、略水平に延びる平面視略長方形の板状に形成されている。下方延設部５２２は、水平部５２１の右側板部５１側に位置する右端部から鉛直下方に延設されている。係止片５２３は、下方延設部５２２の下端部から右側板部５１側である右方に略直角に突出して形成されている。水平部５２１の右前角部には、円形状の固定穴５６が設けられている。固定穴５６の左斜め前方には、矩形状の係止穴５８が設けられている。水平部５２１の前端部には垂直上方に延びる壁部５２５が立設され、水平部５２１の左端部にも垂直上方に延びる壁部５２６が立設されている。壁部５２５の右端部は、水平部５２１の右端部から右方にやや突出している。
【００３４】
渡設部５３は、左右延設部５３１、上側部５３２、一対の突出部５３４，５３５を備える。左右延設部５３１は、上下方向に起立した姿勢で左右方向に延びる細長の板状に形成されている。左右延設部５３１の右端側の下端部は、右側板部５１の水平部５１１の後端部に沿って連結され、左右延設部５３１の左端側の下端部は、左側板部５２の水平部５２１の後端部に沿って連結されている。なお、水平部５１１の前端部において、下方延設部５１２の後端部と左右延設部５３１との間には、所定の溝部５３６が形成されている。水平部５２１の前端部にも、下方延設部５２２の後端部と左右延設部５３１との間には、所定の溝部５３７が形成されている。
【００３５】
上側部５３２は、左右延設部５３１の上端部に沿って設けられ、後方に対して斜め上方に傾斜して延びる平面視略長方形の板状に形成されている。突出部５３４は、左右延設部５３１の右下角部に設けられている。図９に示すように、突出部５３４は、左右延設部５３１から後方に対して斜め下方に傾斜する傾斜部５３４Ａと、傾斜部５３４Ａの後端部から下方に延びる延設部５３４Ｂとを備え、左右延設部５３１に対して後方に突出する部分を形成している。突出部５３５は、左右延設部５３１の左下角部に設けられている。詳述しないが、突出部５３５も、突出部５３４と同様の形状を備え、左右延設部５３１に対して後方に突出する部分を形成している。
【００３６】
図４を参照し、規制部材８１，８２の構造を説明する。規制部材８１，８２は、支持部材５０に支持されたフレームトラップ７０の上方向への移動を規制するものである。規制部材８１は、下側固定部８１１、立柱部８１２、上側固定部８１３を備え、上下方向に高さを備える。下側固定部８１１は、略水平に延びる平面視略長方形の平板状に形成されている。下側固定部８１１の略中央には、円形状の固定穴（図示略）が設けられている。下側固定部８１１のフレームトラップ７０側に位置する右端部は、下側に１８０°屈曲して折り返され、下側に厚みを形成している。下側固定部８１１の右前角部は略Ｌ字状に切り欠かれており、その縁部に沿うようにして、平面視略Ｌ字状の立柱部８１２が上下方向に立設されている。立柱部８１２の下端部には、下方に突出する係止部８１５が設けられている。その立柱部８１２のＬ字状の上端部の内側を閉塞するように、上側固定部８１３が設けられている。上側固定部８１３は略水平に延びる板状に形成されている。上側固定部８１３の略中央には、円形状の固定穴８５が設けられている。
【００３７】
規制部材８２も、規制部材８１と同様に、下側固定部８２１、立柱部８２２、上側固定部８２３を備え、上下方向に高さを備える。下側固定部８２１は、略水平に延びる平面視略長方形の平板状に形成されている。下側固定部８２１の略中央には、円形状の固定穴８７が設けられている。下側固定部８２１のフレームトラップ７０側に位置する左端部は、下側に１８０°屈曲して折り返され、下側に厚みを形成している。下側固定部８２１の左前角部は略Ｌ字状に切り欠かれており、その縁部に沿うようにして、平面視略Ｌ字状の立柱部８２２が上下方向に立設されている。立柱部８２２の下端部には、下方に突出する係止部８２５が設けられている。その立柱部８２２のＬ字状の上端部の内側を閉塞するように、上側固定部８２３が設けられている。上側固定部８２３は略水平に延びる板状に形成されている。上側固定部８２３の略中央には、円形状の固定穴８６が設けられている。
【００３８】
次に、上記構造からなる支持部材５０を用いて、フレームトラップ７０を排気筒４０の内側に装着する手順を説明する。先ず、作業者は、図５に示す支持部材５０の右側板部５１の下方延設部５１２と、左側板部５２の下方延設部５２２との間に対し、図４に示すフレームトラップ７０を上方から挿入し、右側板部５１の係止片５１３の上面と、左側板部５２の係止片５２３の上面とに対し、フレームトラップ７０の下面における右端部と左端部を夫々係止させる。この状態では、図６に示すように、フレームトラップ７０の右端部は、右側板部５１の下方延設部５１２の内面と当接し、フレームトラップ７０の左端部は、左側板部５２の下方延設部５２２の内面と当接する。これにより、フレームトラップ７０は、支持部材５０によって安定して支持される。なお、フレームトラップ７０の後端部と、支持部材５０の渡設部５３の左右延設部５３１の前面との間には、所定の隙間が形成される。
【００３９】
次いで、フレームトラップ７０を支持する支持部材５０（図６参照）を、排気筒４０の内側に装着する為に、図４に示す排気筒４０の開口部４８の上方において、支持部材５０を配置し、右側板部５１が右側、左側板部５２が左側、渡設部５３が後方になるように支持部材５０の位置合わせを行う（図４参照）。そして、図８に示すように、渡設部５３の左右延設部５３１の下端部を、排気筒４０の後壁４４と筐体２の後壁２４との間に形成された空間１８に上方から差し込みつつ、排気筒４０の開口部４８に対し、係止片５１３，５２３に係止するフレームトラップ７０を上方から挿入する。このとき、開口部４８の内側に、右側板部５１の下方延設部５１２と係止片５１３、及び左側板部５２の下方延設部５２２と係止片５２３が挿入される。
【００４０】
さらに、排気筒４０の後壁４４の上端部が、支持部材５０の左右延設部５３１と下方延設部５１２，５２２との間に形成された溝部５３６，５３７に挿入される。そして、支持部材５０の右側板部５１の水平部５１１の下面は、開口部４８の右側のフランジ部４５の上面に当接し、左側板部５２の水平部５２１の下面は、開口部４８の左側のフランジ部４６の上面に当接する。こうして、支持部材５０は、排気筒４０の開口部４８に装着される。これにより、フレームトラップ７０は、排気筒４０の内壁面と支持部材５０の下方延設部５１２，５２２に囲まれる空間内において、排気筒４０の内側に安定して支持される。
【００４１】
ここで、例えば、作業者が、渡設部５３の左右延設部５３１の下端部を、排気筒４０の後方の空間１８ではなく、排気筒４０の開口部４８の内側に誤って挿入してしまうことが想定される。この場合、支持部材５０の渡設部５３に設けられた突出部５３４の延設部５３４Ｂ（図９参照）と、突出部５３５の延設部（図示略）とが、排気筒４０の後壁４４の内面に夫々当接するので、支持部材５０全体が前方に押し出される。このとき、支持部材５０は前側が上がって傾斜した状態となる。これを見た作業者は、支持部材５０が誤装着であることを容易に認識できる。よって、本実施形態は、支持部材５０の誤装着を防止できる。そして、排気筒４０の開口部４８に対し、支持部材５０が正常に装着された場合、フレームトラップ７０は、排気筒４０の内壁面と支持部材５０の下方延設部５１２，５２２に囲まれる空間内において、排気筒４０内に安定して支持される。
【００４２】
次いで、排気筒４０に装着された支持部材５０に対し、規制部材８１，８２を固定する作業を行う。先ず、規制部材８１の下側固定部８１１を、支持部材５０の右側板部５１の水平部５１１の上面に配置する。そして、規制部材８１の立柱部８１２の下端部に設けられた係止部８１５を、水平部５１１に設けられた係止穴５７に係止させる。さらに、下側固定部８１１に設けられた固定穴（図示略）と、水平部５１１に設けられた固定穴５５と、右側のフランジ部４５の固定穴４５１（図４参照）とを、上下方向に互いに位置決めする。そして、一方のネジ９２を、下側固定部８１１に設けられた固定穴（図示略）と、水平部５１１に設けられた固定穴５５とを介して、フランジ部４５の固定穴４５１に締結する。
【００４３】
他方、規制部材８２の下側固定部８２１も同様に、支持部材５０の左側板部５２の水平部５２１の上面に配置する。そして、規制部材８２の立柱部８２２の下端部に設けられた係止部８２５を、水平部５２１に設けられた係止穴５８に係止させる。さらに、下側固定部８２１に設けられた固定穴８７と、水平部５２１に設けられた固定穴５６と、左側のフランジ部４６の固定穴４６１とを、上下方向に互いに位置決めする。そして、他方のネジ９２を、下側固定部８２１に設けられた固定穴８７と、水平部５２１に設けられた固定穴５６とを介して、フランジ部４６の固定穴４６１に締結する。
【００４４】
これにより、図７，図８に示すように、規制部材８１，８２が支持部材５０の水平部５１１，５２１の夫々の上面に固定されると共に、支持部材５０がフランジ部４５，４６に固定される。なお、図７では、筐体２側の構造は省略し、支持部材５０、規制部材８１，８２、フレームトラップ７０のみを図示している。この状態では、規制部材８１の下側固定部８１１の左端部は、水平部５１１の左端部よりも左方にやや突出し、規制部材８２の下側固定部８２１の右端部は、水平部５２１の右端部よりも右方にやや突出する。これにより、フレームトラップ７０が万が一、上方向に移動した場合でも、フレームトラップ７０の左右の両端部は、規制部材８２の下側固定部８１１の左端部及び下側固定部８２１の右端部に夫々係止される。よって、フレームトラップ７０の上方向への移動が規制される。
【００４５】
次いで、天板３を筐体２の上部に固定する。このとき、図４に示すように、排気筒４０の開口部４８に対して、天板３の排気口３６が相対するように位置決めを行う。さらに、規制部材８１，８２の上側固定部８１３，８２３は、天板３の排気カバー８に覆われる部分の下面に当接する。そして、天板３の排気口３６の右側の固定穴３８１を、規制部材８１の上側固定部８１３の固定穴８５と対向させ、排気口３６の左側の固定穴３８２を、規制部材８２の固定穴８５と対向させる。そして、ネジ９１，９１を、これら固定穴３８１，３８２を介して固定穴８５，８６に夫々締結する。これにより、規制部材８１，８２及び支持部材５０という他の用途を有する二つの部材を介して、天板３を筐体２に設けられた排気筒４０のフランジ部４５，４６に固定できるので、部品点数を削減できる。また、天板３に設けられた係止穴３７１，３７２に対し、排気カバー８の下部の左右両端部に設けられた２つの突起８３（図４参照）が夫々係止することによって、排気口３６を覆うように排気カバー８が設置される。そして、その排気カバー８の下側に隠れた位置で天板３を二つのネジ９１で固定するので、これら二つのネジ９１が使用者の目に曝されて美感を損なうのを防止できる。
【００４６】
また、図４，図８に示すように、天板３の下側において、支持部材５０が排気筒４０の開口部４８に装着された状態では、渡設部５３の上側部５３２は、後方に対して斜め上方に傾斜している。これにより、仮に天板３の排気口３６の縁部から煮汁等が侵入しても、その下方に位置する上側部５３２の上面に落下することで、排気筒４０の内側にそのまま落下させることができる。本実施形態のようなグリル付きのガスコンロ１では、スペースの関係上、グリル庫７の後方、即ち、筐体２の後部にガス配管（図示略）を配置する必要がある。本実施形態のガスコンロ１は、排気筒４０の後側に煮汁が侵入することを防止できるので、配管の煮汁による腐食が生じる虞を軽減できる。
【００４７】
次に、排気筒４０からフレームトラップ７０を取り外す際の作業を説明する。図８に示すように、筐体２から天板３を取り外した状態で、二つのネジ９２を緩めて、規制部材８１，８２を支持部材５０から取り外す。上記の通り、フレームトラップ７０は、排気筒４０の内壁面と支持部材５０の下方延設部５１２，５２２に囲まれる空間内において、係止片５１３，５２３により下側から支持される状態で、排気筒４０内に支持されている。よって、作業者は、支持部材５０を上方にそのまま持ち上げるだけで（図６参照）、フレームトラップ７０ごと排気筒４０から安定して抜き出すことができる。
【００４８】
また、支持部材５０の右側板部５１及び左側板部５２の水平部５１１，５２１が、排気筒４０の開口部４８の右側壁４２と左側壁４３の夫々の上端部に上方から当接するので、水平部５１１，５２１の下側に指等を引っ掛けて、フレームトラップ７０ごと容易に持ち上げることができる。さらに、本実施形態の支持部材５０は、フレームトラップ７０の左右の両端部を保持する右側板部５１と左側板部５２を、渡設部５３で繋いでいるので、排気筒４０から抜き出した状態でも、フレームトラップ７０を安定して保持できる。これにより、フレームトラップ７０を支持部材５０ごと排気筒４０から抜き取った弾みで、フレームトラップ７０が支持部材５０から外れることも防止できる。
【００４９】
上記説明において、フレームトラップ７０が本発明の「消炎部材」の一例であり、支持部材５０の右側板部５１及び左側板部５２が本発明の「一対の側板部」の一例であり、水平部５１１，５２１が本発明の「当接部」の一例であり、係止片５１３，５２３が本発明の「張出部」の一例であり、フランジ部４５，４６に設けられた固定穴４５１，４６１が本発明の「第一固定穴」の一例であり、水平部５１１，５２１に設けられた固定穴５５，５６が本発明の「第二固定穴」の一例であり、規制部材８１，８２の上側固定部８１３，８２３が本発明の「天板固定部」の一例であり、渡設部５３の上側部５３２が本発明の「傾斜部」の一例であり、左右延設部５３１が本発明の「差し込み部」の一例である。
【００５０】
以上説明したように、本実施形態のガスコンロ１は、筐体２内にグリル庫７と排気筒４０を備える。排気筒４０は、グリル庫７と連通し且つ上方に延びるようにして設けられている。排気筒４０の開口部４８には、消炎部材であるフレームトラップ７０を排気筒４０内に支持する支持部材５０が着脱可能に装着されている。支持部材５０は、右側板部５１、左側板部５２、渡設部５３を備える。右側板部５１と左側板部５２は、排気筒４０の開口部４８において互いに対向する左右の両側部に配置される。渡設部５３は、右側板部５１と左側板部５２の間に渡設される。右側板部５１は、水平部５１１、下方延設部５１２、係止片５１３を備える。左側板部５２は、水平部５２１、下方延設部５２２、係止片５２３を備える。水平部５１１，５２１は、開口部４８における両側部の夫々に当接して支持される。下方延設部５１２，５２２は、水平部５１１，５２１における排気筒４０の内側に位置する一端部から下方に向けて延設され、排気筒４０の右側壁４２及び左側壁４３の内面に沿って配置される。係止片５１３，５２３は、下方延設部５１２，５２２の夫々の下端部から排気筒４０の中央に向けて張り出している。支持部材５０によって排気筒４０の内側に支持されたフレームトラップ７０は、一対の係止片５１３，５２３によって下側から支持される。
【００５１】
これにより、フレームトラップ７０は、排気筒４０の内壁面と支持部材５０の下方延設部５１２，５２２に囲まれる空間内において、係止片５１３，５２３により下側から支持される状態で、排気筒４０内に支持される。これにより、支持部材５０を上方に持ち上げるだけで、フレームトラップ７０ごと排気筒４０から安定して抜き出すことができる。また、支持部材５０の水平部５１１，５２１が排気筒４０の開口部４８における両側部の夫々に当接するので、容易に水平部５１１，５２１の下側に指等を引っ掛けて、フレームトラップ７０ごと持ち上げることができる。従って、メンテナンス等の目的でフレームトラップ７０を排気筒４０の内側から取り外す必要が生じた場合に、作業者はその作業を迅速に行うことができる。
【００５２】
なお、本発明は上記実施形態に限定されるものではなく、種々の変更が可能である。本実施形態はガスコンロ１であるが、本発明は例えば電磁調理器にも適用可能である。また、天板３上に設けられるコンロバーナの数は、一つでもよく、三つ以上であってもよい。
【００５３】
また、上記実施形態の天板３は、ホーロー板をプレス成型したものであるが、これ以外の構造であってもよく、例えば、上面をガラスコーティングした天板であってもよい。
【００５４】
また、上記実施形態の支持部材５０において、渡設部５３の上側部５３２は、後方に対して斜め上方に傾斜しているが、例えば略水平にしてもよい。また、上側部５３２を省略してもよい。さらに、水平部５１１，５２１に設けられた壁部５１５，５１６，５２５，５２６は省略してもよい。さらに、渡設部５３の左右延設部５３１に設けられた一対の突出部５３４，５３５のうち一方又は両方を省略してもよい。
【００５５】
また、上記実施形態の規制部材８１，８２は省略してもよい。さらに、上記実施形態のフレームトラップ７０は、２枚の多孔板７１，７２の両端を曲げ加工し、それを向かい合わせて直方体の筒状に形成したものであるが、これ以外の構造でもよく、例えば多孔板の枚数を増やして構成してもよい。または、多孔質の部材で形成してもよい。
【符号の説明】
【００５６】
１      ガスコンロ
２      筐体
３      天板
７      グリル庫
８      排気カバー
１８      空間
２４      後壁
３６      排気口
４０      排気筒
４４      後壁
４５，４６      フランジ部
４８      開口部
５０      支持部材
５１      右側板部
５２      左側板部
５３      渡設部
５５，５６      固定穴
７０      フレームトラップ
８１，８２      規制部材
９２      ネジ
４５１，４６１      固定穴
５１１，５２１      水平部
５１２，５２２      下方延設部
５１３，５２３      係止片
５３１      左右延設部
５３２      上側部
５３４，５３５      突出部
８１３，８２３      上側固定部
【図１】
0006533706.tif 000002
【図２】
0006533706.tif 000003
【図３】
0006533706.tif 000004
【図４】
0006533706.tif 000005
【図５】
0006533706.tif 000006
【図６】
0006533706.tif 000007
【図７】
0006533706.tif 000008
【図８】
0006533706.tif 000009
【図９】
0006533706.tif 000010